(57)【要約】【課題】容易な装着作業を通じて手足の断端部に義肢を装着することができるとともに、簡易な構成をもってその正常な装着状態を維持することのできる義肢を提供する。【解決手段】義足１は、足の断端部Ｓが挿嵌可能な挿嵌部４を有したソケット３を備える。また、ソケット３の内側面には、ソケット３の挿嵌部４に断端部Ｓを挿入する方向Ｂに傾斜する繊維状部材４１が設けられる。【選択図】図１
2011098038.tif 000002
【特許請求の範囲】
【請求項１】
手足の断端部を挿嵌可能な挿嵌部を有したソケットを備える義肢であって、
前記ソケットの内側面には、前記ソケットの挿嵌部に断端部を挿入する方向に傾斜する繊維状部材が設けられる
ことを特徴とする義肢。
【請求項２】
請求項１に記載の義肢において、
断端部に装着されるライナーを備え、
前記ソケットの挿嵌部には前記ライナーが装着された断端部が挿嵌される
ことを特徴とする義肢。
【請求項３】
請求項２に記載の義肢において、
前記ライナーの内側面には、前記ライナーに断端部を挿入する方向に傾斜する繊維状部材が設けられる
ことを特徴とする義肢。
【請求項４】
請求項２又は請求項３に記載の義肢において、
前記ライナーの外側面には、前記ソケットの挿嵌部に前記ライナーを挿入する方向とは逆の方向に傾斜する繊維状部材が設けられる
ことを特徴とする義肢。
【請求項５】
手足の断端部に装着された状態でソケットに挿嵌される義肢用ライナーであって、
前記ライナーの内側面には、前記ライナーに断端部を挿入する方向に傾斜する繊維状部材が設けられる
ことを特徴とする義肢用ライナー。
【請求項６】
請求項５に記載の義肢用ライナーにおいて、
前記ライナーの外側面には、前記ソケットの挿嵌部に前記ライナーを挿入する方向とは逆の方向に傾斜する繊維状部材が設けられる
ことを特徴とする義肢用ライナー。
【請求項７】
手足の断端部に装着された状態でソケットに挿嵌される義肢用ライナーであって、
前記ライナーの外側面には、前記ソケットの挿嵌部に前記ライナーを挿入する方向とは逆の方向に傾斜する繊維状部材が設けられる
ことを特徴とする義肢用ライナー。
【請求項８】
手足の断端部が挿嵌される挿嵌部を有したソケットを備える義肢であって、
前記ソケットの内側面には、同ソケットの周方向において所定の方向に傾斜する繊維状部材が設けられる
ことを特徴とする義肢。
【請求項９】
請求項８に記載の義肢において、
前記繊維状部材は、前記ソケットの周方向において前記所定の方向に傾斜する第１繊維状部材と、前記所定の方向とは逆の方向に傾斜する第２繊維状部材とを含む
ことを特徴とする義肢。
【請求項１０】
請求項８又は請求項９に記載の義肢において、
断端部に装着されるライナーを備え、
前記ソケットの挿嵌部には前記ライナーが装着された断端部が挿嵌される
ことを特徴とする義肢。
【請求項１１】
請求項１０に記載の義肢において、
前記ライナーの外側面には、同ライナーの周方向において所定の方向に傾斜する繊維状部材が設けられる
ことを特徴とする義肢。
【請求項１２】
請求項１１に記載の義肢において、
前記ライナーに設けられる前記繊維状部材は、前記ライナーの周方向において前記所定の方向に傾斜する第１繊維状部材と、前記所定の方向とは逆の方向に傾斜する第２繊維状部材とを含む
ことを特徴とする義肢。
【請求項１３】
請求項１１又は請求項１２に記載の義肢において、
前記ライナーの装着された手足の断端部が前記ソケットの挿嵌部に挿嵌された状態で、前記ソケットの内側面に設けられた前記繊維状部材と、前記ライナーの外側面に設けられた前記繊維状部材とは、互いに接触するように構成され、且つそれら接触する繊維状部材の傾斜方向が逆方向となるように構成される
ことを特徴とする義肢。
【請求項１４】
手足の断端部に装着された状態でソケットに挿嵌される義肢用ライナーであって、
前記ライナーの外側面には、同ライナーの周方向において所定の方向に傾斜する繊維状部材が設けられる
ことを特徴とする義肢用ライナー。
【請求項１５】
請求項１４に記載の義肢用ライナーにおいて、
前記繊維状部材は、前記ライナーの周方向において前記所定の方向に傾斜する第１繊維状部材と、前記所定の方向とは逆の方向に傾斜する第２繊維状部材とを含む
ことを特徴とする義肢用ライナー。
【請求項１６】
手足の断端部を挿嵌可能な挿嵌部を有したソケットを備える義肢であって、
前記ソケットの内側面には、前記ソケットの挿嵌部に断端部を挿入する方向とは逆の方向に傾斜する繊維状部材が設けられる
ことを特徴とする義肢。
【請求項１７】
請求項１６に記載の義肢において、
前記ソケットは、下腿の断端部が挿嵌されるものである
ことを特徴とする義肢。
【請求項１８】
請求項１７に記載の義肢において、
前記ソケットの内側面に設けられる前記繊維状部材は前記ソケットの内側面の体重支持部に設けられる
ことを特徴とする義肢。
【請求項１９】
請求項１６〜請求項１８のいずれか一項に記載の義肢において、
断端部に装着されるライナーを備え、
前記ソケットは、その挿嵌部に前記ライナーが装着された断端部が挿嵌されるものであり、
前記ライナーの外側面において前記ソケットの内側面に設けられる前記繊維状部材に対向する位置には、前記ソケットの挿嵌部に前記ライナーを挿入する方向に傾斜する繊維状部材が設けられる
ことを特徴とする義肢。
【請求項２０】
手足の断端部に装着された状態でソケットに挿嵌される義肢用ライナーであって、
前記ライナーの外側面には、前記ソケットの挿嵌部に前記ライナーを挿入する方向に傾斜する繊維状部材が設けられる
ことを特徴とする義肢用ライナー。
【発明の詳細な説明】
【技術分野】
【０００１】
本発明は、手足等の断端部に装着される義肢及び義肢用ライナーに関する。
【背景技術】
【０００２】
従来、この種の義肢及び義肢用ライナーとしては、特許文献１に記載のものがある。例えば、図１７に示される義足２００１では、足の断端部Ｓにライナー２００２が装着されるとともに、そのライナー２００２が装着された状態の断端部Ｓをソケット２００３に取り付けるようにしている。このライナー２００２は、例えば合成皮革等の材料により形成され、断端部Ｓの形状に合わせた形状を有している。一方、ソケット２００３は、ライナー２００２が装着された状態の断端部Ｓが挿嵌される挿嵌部２００４を有しており、挿嵌部２００４はライナー２００２が装着された断端部Ｓの形状に合わせた形状を有している。尚、ソケット２００３は、例えば繊維強化樹脂によって形成されている。また、義足２００１には、ライナー２００２の装着された断端部Ｓに対してソケット２００３を留めるための装着具２０１０が設けられている。装着具２０１０は、ソケット２００３に固定される固定片２０１１と、ライナー２００２の装着された断端部Ｓの周囲（本例においては膝）に巻き付けられるベルト２０１２とを有している。そして、図１７に矢印にて示すように、こうした装着具２０１０により、断端部Ｓから義足２００１が抜け落ちたり、断端部Ｓに対して義足２００１が回転したりしないようにしている。
【先行技術文献】
【特許文献】
【０００３】
【特許文献１】実用新案登録第３１２９６９５号公報
【発明の概要】
【発明が解決しようとする課題】
【０００４】
ところが、こうした従来の義足２００１にあっては、上述したような義足２００１の抜け落ちや回転等を抑制するために、ライナー２００２及びソケット２００３とは別に装着具２０１０が必要になるとともに、使用者はこうした装着具２０１０のベルト２０１２を断端部Ｓの周囲に巻き付けるといった煩雑な作業をその都度強いられるようになる。そのため、従来の義足２００１にあっては、その装着作業が煩雑になりその構成も複雑になるといった問題がある。
【０００５】
尚、こうした問題は、上述したような義足に限られるものではなく、その他の義足や、義手等の義肢、及び義肢用ライナーにおいて概ね共通して生じ得るものである。
本発明は、こうした実情に鑑みてなされたものであり、その目的は、容易な装着作業を通じて手足の断端部に義肢及び義肢用ライナーを装着することができるとともに、簡易な構成をもってその正常な装着状態を維持することのできる義肢及び義肢用ライナーを提供することにある。
【課題を解決するための手段】
【０００６】
以下、上記課題を解決するための手段及びその作用効果について記載する。
尚、以下の説明において、「ソケット」とは、これを「ライナー」とは別の部材とする場合はもとより、ソケットの内側面にライナーを貼り付けて一体化したものも含む。この場合、ソケットの内側面に貼り付けられたライナーの内側面が「ソケットの内側面」に相当することとなる。
【０００７】
（１）請求項１に記載の発明は、手足の断端部を挿嵌可能な挿嵌部を有したソケットを備える義肢であって、前記ソケットの内側面には、前記ソケットの挿嵌部に断端部を挿入する方向に傾斜する繊維状部材が設けられることをその要旨としている。
【０００８】
同構成によれば、ソケットの挿嵌部に対して断端部を挿入する場合には、繊維状部材が、いわゆる順毛となるため、その挿入に際して生じる抵抗力は小さい。このため、ソケットの内側面に繊維状部材を設けることに起因してソケットの装着が困難なものとなることはない。一方、ソケットが断端部から抜け落ちようとする場合には、繊維状部材が、いわゆる逆毛となるため、大きな抵抗力が生じる。このため、ソケットが断端部から抜け落ちることを抑制することができる。従って、容易な装着作業を通じて手足の断端部に義肢を装着することができるとともに、簡易な構成をもって義肢の正常な装着状態を維持することができるようになる。
【０００９】
ちなみに、繊維状部材の配設態様としては、ソケットの内側面に繊維状部材を貼り付けるといった態様の他、ソケット自体によって繊維状部材を形成するといった態様を採用することができる。
【００１０】
また一般の義肢にあっては、断端部にライナーを装着した後、そのライナーが装着された断端部をソケットの挿嵌部に挿入する場合が多いが、例えばソケットの内側面にライナーを貼り付けて一体化した構成が採用される場合もある。こうした構成にあって、ソケットの挿嵌部に対して断端部を挿入する場合には、ライナーの内側面、すなわち「ソケットの内側面」に設けられる繊維状部材が順毛となるため、その挿入に際して生じる抵抗力は小さい。このため、ソケットの内側面に繊維状部材を設けることに起因してソケットの装着が困難なものとなることはない。一方、ソケットが断端部から抜け落ちようとする場合には、「ソケットの内側面」に設けられる繊維状部材が逆毛となるため、大きな抵抗力が生じる。このため、ソケットが断端部から抜け落ちることを抑制することができる。従って、容易な装着作業を通じて手足の断端部に義肢を装着することができるとともに、簡易な構成をもって義肢の正常な装着状態を維持することができるようになる。
【００１１】
（２）請求項２に記載の発明は、請求項１に記載の義肢において、断端部に装着されるライナーを備え、前記ソケットの挿嵌部には前記ライナーが装着された断端部が挿嵌されることをその要旨としている。
【００１２】
こうした構成にあっても、ソケットの挿嵌部に対してライナーが装着された断端部が挿嵌される場合には、繊維状部材が断端部、換言すればこれに装着されたライナーの外側面に接触することとなることから、請求項１に記載の発明に準じた作用効果を奏することができる。
【００１３】
（３）請求項３に記載の発明は、請求項２に記載の義肢において、前記ライナーの内側面には、前記ライナーに断端部を挿入する方向に傾斜する繊維状部材が設けられることをその要旨としている。
【００１４】
同構成によれば、ライナーに対して断端部を挿入する場合には、ライナーの内側面に設けられた繊維状部材が順毛となるため、その挿入に際して生じる抵抗力は小さい。このため、ライナーの内側面に繊維状部材を設けることに起因してライナーの装着が困難なものとなることはない。一方、ライナーが断端部から抜け落ちようとする場合には、ライナーの内側面に設けられた繊維状部材が逆毛となるため、大きな抵抗力が生じる。このため、断端部からライナーが抜け落ちることを抑制することができる。従って、容易な装着作業を通じて手足の断端部にライナーを装着することができるとともに、簡易な構成をもってライナーの正常な装着状態を維持することができるようになる。
【００１５】
また例えば、ライナー全体をシリコン樹脂等、伸縮性に富む材料によって形成し、ライナーと断端部との密着性が高い状態とすることにより、ライナーが断端部から抜け落ちることを抑制することもできるが、この場合には長時間の使用によって断端部とライナーとの間に蒸れが生じ、使用者に不快感を与えることとなる。しかし、上記構成によれば、このようにライナーと断端部との密着性を高くしなくとも、ライナーが断端部から抜け落ちることを抑制することができることから、長時間の使用によって断端部とライナーとの間に蒸れが生じることはなく、使用者に不快感を与えることはない。
【００１６】
ちなみに、繊維状部材の配設態様としては、ライナーの内側面に繊維状部材を貼り付けるといった態様の他、ライナー自体によって繊維状部材を形成するといった態様を採用することができる。
【００１７】
（４）請求項４に記載の発明は、請求項２又は請求項３に記載の義肢において、前記ライナーの外側面には、前記ソケットの挿嵌部に前記ライナーを挿入する方向とは逆の方向に傾斜する繊維状部材が設けられることをその要旨としている。
【００１８】
同構成によれば、ソケットの挿嵌部に対してライナーが装着された断端部を挿入する場合には、ライナーの外側面に設けられた繊維状部材が順毛となり、またソケットの挿嵌部の内側面に設けられた繊維状部材も順毛となるため、その挿入に際して生じる抵抗力は小さい。このため、ライナーの外側面に繊維状部材を設けることに起因してソケットの装着が困難なものとなることはない。一方、ライナーの装着された断端部からソケットが抜け落ちようとする場合には、ライナーの外側面に設けられた繊維状部材が逆毛となり、またソケットの挿嵌部の内側面に設けられた繊維状部材も逆毛となる。そして、それら繊維状部材の傾斜方向が逆方向となっているためにそれらが互いに絡み合うことで、より大きな抵抗力が生じる。このため、ライナーの装着された断端部からソケットが抜け落ちることを一層抑制することができる。
【００１９】
ちなみに、繊維状部材の配設態様としては、ライナーの外側面に繊維状部材を貼り付けるといった態様の他、ライナー自体によって繊維状部材を形成するといった態様を採用することができる。
【００２０】
（５）請求項５に記載の発明は、手足の断端部に装着された状態でソケットに挿嵌される義肢用ライナーであって、前記ライナーの内側面には、前記ライナーに断端部を挿入する方向に傾斜する繊維状部材が設けられることをその要旨としている。
【００２１】
同構成によれば、ライナーに対して断端部を挿入する場合には、ライナーの内側面に設けられた繊維状部材が順毛となるため、その挿入に際して生じる抵抗力は小さい。このため、ライナーの内側面に繊維状部材を設けることに起因してライナーの装着が困難なものとなることはない。一方、ライナーが断端部から抜け落ちようとする場合には、ライナーの内側面に設けられた繊維状部材が逆毛となるため、大きな抵抗力が生じる。このため、断端部からライナーが抜け落ちることを抑制することができる。従って、容易な装着作業を通じて手足の断端部に義肢用ライナーを装着することができるとともに、簡易な構成をもって義肢用ライナーの正常な装着状態を維持することができるようになる。
【００２２】
また例えば、ライナー全体をシリコン樹脂等、伸縮性に富む材料によって形成し、ライナーと断端部との密着性が高い状態とすることにより、ライナーが断端部から抜け落ちることを抑制することもできるが、この場合には長時間の使用によって断端部とライナーとの間に蒸れが生じ、使用者に不快感を与えることとなる。しかし、上記構成によれば、このようにライナーと断端部との密着性を高くしなくとも、ライナーが断端部から抜け落ちることを抑制することができることから、長時間の使用によって断端部とライナーとの間に蒸れが生じることはなく、使用者に不快感を与えることはない。
【００２３】
（６）請求項６に記載の発明は、請求項５に記載の義肢用ライナーにおいて、前記ライナーの外側面には、前記ソケットの挿嵌部に前記ライナーを挿入する方向とは逆の方向に傾斜する繊維状部材が設けられることをその要旨としている。
【００２４】
同構成によれば、ソケットの挿嵌部に対してライナーが装着された断端部を挿入する場合には、ライナーの外側面に設けられた繊維状部材が順毛となるため、その挿入に際して生じる抵抗力は小さい。このため、ライナーの外側面に繊維状部材を設けることに起因してソケットの装着が困難なものとなることはない。一方、ライナーの装着された断端部からソケットが抜け落ちようとする場合には、ライナーの外側面に設けられた繊維状部材が逆毛となるため、大きな抵抗力が生じる。このため、ライナーの装着された断端部からソケットが抜け落ちることを抑制することができる。従って、容易な装着作業を通じて手足の断端部にソケットを装着することができるとともに、簡易な構成をもってソケットの正常な装着状態を維持することができるようになる。
【００２５】
（７）請求項７に記載の発明は、手足の断端部に装着された状態でソケットに挿嵌される義肢用ライナーであって、前記ライナーの外側面には、前記ソケットの挿嵌部に前記ライナーを挿入する方向とは逆の方向に傾斜する繊維状部材が設けられることをその要旨としている。
【００２６】
同構成によれば、ソケットの挿嵌部に対してライナーが装着された断端部を挿入する場合には、ライナーの外側面に設けられた繊維状部材が順毛となるため、その挿入に際して生じる抵抗力は小さい。このため、ライナーの外側面に繊維状部材を設けることに起因してソケットの装着が困難なものとなることはない。一方、ライナーの装着された断端部からソケットが抜け落ちようとする場合には、ライナーの外側面に設けられた繊維状部材が逆毛となるため、大きな抵抗力が生じる。このため、ライナーの装着された断端部からソケットが抜け落ちることを抑制することができる。従って、容易な装着作業を通じて手足の断端部にソケットを装着することができるとともに、簡易な構成をもってソケットの正常な装着状態を維持することができるようになる。
【００２７】
（８）請求項８に記載の発明は、手足の断端部が挿嵌される挿嵌部を有したソケットを備える義肢であって、前記ソケットの内側面には、同ソケットの周方向において所定の方向に傾斜する繊維状部材が設けられることをその要旨としている。
【００２８】
同構成によれば、手足の断端部がソケットの挿嵌部に挿嵌された状態において、ソケットが、繊維状部材の傾斜方向に回転しようとする場合には、ソケットの内側面に設けられた繊維状部材が逆毛となるため、大きな抵抗力が生じる。このため、ソケットが、繊維状部材の傾斜方向に回転することについてはこれを抑制することができる。従って、容易な装着作業を通じて手足の断端部に義肢を装着することができるとともに、簡易な構成をもって義肢の正常な装着状態を維持することができるようになる。
【００２９】
ちなみに、繊維状部材の配設態様としては、ソケットの内側面に繊維状部材を貼り付けるといった態様の他、ソケット自体によって繊維状部材を形成するといった態様を採用することができる。
【００３０】
（９）請求項９に記載の発明は、請求項８に記載の義肢において、前記繊維状部材は、前記ソケットの周方向において前記所定の方向に傾斜する第１繊維状部材と、前記所定の方向とは逆の方向に傾斜する第２繊維状部材とを含むことをその要旨としている。
【００３１】
同構成によれば、手足の断端部がソケットの挿嵌部に挿嵌された状態において、ソケットが、同ソケットの周方向において上記所定の方向に回転しようとする場合には第１繊維状部材が逆毛となり、同所定の方向とは逆の方向に回転しようとする場合には第２繊維状部材が逆毛となる。このため、ソケットが、同ソケットの周方向において上記所定の方向に回転すること、及び同所定の方向とは逆の方向に回転することの双方を抑制することができる。すなわち、ソケットが同ソケットの周方向に回動することを抑制することができる。
【００３２】
（１０）請求項１０に記載の発明は、請求項８又は請求項９に記載の義肢において、断端部に装着されるライナーを備え、前記ソケットの挿嵌部には前記ライナーが装着された断端部が挿嵌されることをその要旨としている。
【００３３】
こうした構成にあっても、ソケットの挿嵌部に対してライナーが装着された断端部が挿嵌される場合には、繊維状部材が断端部、換言すればこれに装着されたライナーの外側面に接触することとなることから、請求項８又は請求項９に記載の発明に準じた作用効果を奏することができる。
【００３４】
（１１）請求項１１に記載の発明は、請求項１０に記載の義肢において、前記ライナーの外側面には、同ライナーの周方向において所定の方向に傾斜する繊維状部材が設けられることをその要旨としている。
【００３５】
同構成によれば、ライナーの装着された手足の断端部がソケットの挿嵌部に挿嵌された状態において、ソケットが、ライナーの外側面に設けられた繊維状部材の傾斜方向とは逆の方向に回転しようとする場合には、同繊維状部材が逆毛となるため、大きな抵抗力が生じる。このため、ソケットが、ライナーの外側面に設けられた繊維状部材の傾斜方向とは逆の方向に回転することについてはこれを抑制することができる。
【００３６】
ちなみに、繊維状部材の配設態様としては、ライナーの外側面に繊維状部材を貼り付けるといった態様の他、ライナー自体によって繊維状部材を形成するといった態様を採用することができる。
【００３７】
（１２）請求項１２に記載の発明は、請求項１１に記載の義肢において、前記ライナーに設けられる前記繊維状部材は、前記ライナーの周方向において前記所定の方向に傾斜する第１繊維状部材と、前記所定の方向とは逆の方向に傾斜する第２繊維状部材とを含むことをその要旨としている。
【００３８】
同構成によれば、ライナーの装着された手足の断端部がソケットの挿嵌部に挿嵌された状態において、ソケットが、ライナーの周方向において上記所定の方向に回転しようとする場合には、ライナーの外側面に設けられた第２繊維状部材が逆毛となり、同所定の方向とは逆の方向に回転しようとする場合には、ライナーの外側面に設けられた第１繊維状部材が逆毛となる。このため、ソケットが、ライナーの周方向において上記所定の方向に回転すること、及び同所定の方向とは逆の方向に回転することの双方を抑制することができる。すなわち、ソケットがライナーの周方向に回動することを抑制することができる。
【００３９】
（１３）請求項１３に記載の発明は、請求項１１又は請求項１２に記載の義肢において、前記ライナーの装着された手足の断端部が前記ソケットの挿嵌部に挿嵌された状態で、前記ソケットの内側面に設けられた前記繊維状部材と、前記ライナーの外側面に設けられた前記繊維状部材とは、互いに接触するように構成され、且つそれら接触する繊維状部材の傾斜方向が逆方向となるように構成されることをその要旨としている。
【００４０】
同構成によれば、ライナーの装着された手足の断端部がソケットの挿嵌部に挿嵌された状態において、ソケットが、ソケットの内側面に設けられた繊維状部材の傾斜方向、すなわちライナーの周方向においてライナーの外側面に設けられた繊維状部材の傾斜方向とは逆の方向に回転しようとする場合には、ソケットの内側面に設けられた繊維状部材が逆毛となり、またライナーの外側面に設けられた繊維状部材が逆毛となる。そして、それら繊維状部材の傾斜方向が逆方向となっているためにそれらが絡み合うことで、より大きな抵抗力が生じる。このため、ソケットが、ソケットの内側面に設けられた繊維状部材の傾斜方向に回転することを一層抑制することができる。
【００４１】
尚、請求項８に記載の発明の構成に、請求項１１に記載の発明の構成が適用されたものに対して、本発明を適用した場合には、ソケットの内側面に設けられる繊維状部材とライナーの外側面に設けられる繊維状部材とを互いに接触するように構成し、且つソケットの内側面に設けられる繊維状部材の傾斜方向とライナーの外側面に設けられる繊維状部材の傾斜方向とが逆方向となるように構成すればよい。
【００４２】
また、請求項９に記載の発明の構成に、請求項１１に記載の発明の構成が適用されたものに対して、本発明を適用した場合には、ソケットの内側面に設けられる第１繊維状部材及び第２繊維状部材のうちいずれか一方とライナーの外側面に設けられる繊維状部材とを互いに接触するように構成し、且つそれら接触する繊維状部材の傾斜方向、すなわちソケットの内側面に設けられる第１繊維状部材及び第２繊維状部材のうちいずれか一方の傾斜方向とライナーの外側面に設けられる繊維状部材の傾斜方向とが逆方向となるように構成すればよい。
【００４３】
また、請求項８に記載の発明の構成に、請求項１２に記載の発明の構成が適用されたものに対して、本発明を適用した場合には、ソケットの内側面に設けられる繊維状部材とライナーの外側面に設けられる第１繊維状部材及び第２繊維状部材のうちいずれか一方とを互いに接触するように構成し、且つそれら接触する繊維状部材の傾斜方向、すなわちソケットの内側面に設けられる繊維状部材の傾斜方向とライナーの外側面に設けられる第１繊維状部材及び第２繊維状部材のうちいずれか一方の傾斜方向とが逆方向となるように構成すればよい。
【００４４】
また、請求項９に記載の発明の構成に、請求項１２に記載の発明の構成が適用されたものに対して、本発明を適用した場合には、ソケットの内側面に設けられる第１繊維状部材及び第２繊維状部材とライナーの外側面に設けられる第１繊維状部材及び第２繊維状部材とを互いに接触するように構成し、且つそれら接触する繊維状部材の傾斜方向、すなわちソケットの挿嵌部の内側面に設けられる第１繊維状部材、第２繊維状部材の傾斜方向とライナーの外側面に設けられる第１繊維状部材及び第２繊維状部材の傾斜方向とが逆方向となるように構成すればよい。特にこの場合、ソケットが、同ソケットの周方向において所定の方向に回転する場合であれ、同所定の方向とは逆の方向に回転する場合であれ、ソケットの内側面及びライナーの外側面に設けられた各繊維状部材のうち対応する繊維状部材が絡み合うようになるため、上記所定の方向の回転及びその逆の方向の回転の双方を一層抑制することができる。すなわち、ソケットが同ソケットの周方向に回動することを一層抑制することができる。従って、容易な装着作業を通じて手足の断端部に義肢を装着することができるとともに、簡易な構成をもって義肢の正常な装着状態を一層的確に維持することができるようになる。
【００４５】
（１４）請求項１４に記載の発明は、手足の断端部に装着された状態でソケットに挿嵌される義肢用ライナーであって、前記ライナーの外側面には、同ライナーの周方向において所定の方向に傾斜する繊維状部材が設けられることをその要旨としている。
【００４６】
同構成によれば、ライナーの装着された手足の断端部がソケットの挿嵌部に挿嵌された状態において、ソケットが、ライナーの外側面に設けられた繊維状部材の傾斜方向とは逆の方向に回転しようとする場合には、同繊維状部材が逆毛となるため、大きな抵抗力が生じる。このため、ソケットが、ライナーの外側面に設けられた繊維状部材の傾斜方向とは逆の方向に回転することについてはこれを抑制することができる。従って、容易な装着作業を通じて手足の断端部にソケットを装着することができるとともに、簡易な構成をもってソケットの正常な装着状態を維持することができるようになる。
【００４７】
ちなみに、繊維状部材の配設態様としては、ライナーの外側面に繊維状部材を貼り付けるといった態様の他、ライナー自体によって繊維状部材を形成するといった態様を採用することができる。
【００４８】
（１５）請求項１５に記載の発明は、請求項１４に記載の義肢用ライナーにおいて、前記繊維状部材は、前記ライナーの周方向において前記所定の方向に傾斜する第１繊維状部材と、前記所定の方向とは逆の方向に傾斜する第２繊維状部材とを含むことをその要旨としている。
【００４９】
同構成によれば、ライナーの装着された手足の断端部がソケットの挿嵌部に挿嵌された状態において、ソケットが、ライナーの周方向において上記所定の方向に回転しようとする場合には、ライナーの外側面に設けられた第２繊維状部材が逆毛となり、同所定の方向とは逆の方向に回転しようとする場合には、ライナーの外側面に設けられた第１繊維状部材が逆毛となる。このため、ソケットが、ライナーの周方向において上記所定の方向に回転すること、及び同所定の方向とは逆の方向に回転することの双方を抑制することができる。すなわち、ソケットがライナーの周方向に回動することを抑制することができる。従って、容易な装着作業を通じて手足の断端部にソケットを装着することができるとともに、簡易な構成をもってソケットの正常な装着状態を的確に維持することができるようになる。
【００５０】
（１６）請求項１６に記載の発明は、手足の断端部を挿嵌可能な挿嵌部を有したソケットを備える義肢であって、前記ソケットの内側面には、前記ソケットの挿嵌部に断端部を挿入する方向とは逆の方向に傾斜する繊維状部材が設けられることをその要旨としている。
【００５１】
同構成によれば、ソケットの挿嵌部に断端部が完全に挿嵌されている状態において、ソケットの挿嵌部の奥に断端部が落ち込もうとする場合には、ソケットの内側面に設けられた繊維状部材が逆毛となるため、大きな抵抗力が生じる。このため、ソケットの挿嵌部の奥に断端部が落ち込むことを抑制することができる。従って、容易な装着作業を通じて手足の断端部に義肢を装着することができるとともに、簡易な構成をもって義肢の正常な装着状態を的確に維持することができるようになる。
【００５２】
ちなみに、繊維状部材の配設態様としては、ソケットの内側面に繊維状部材を貼り付けるといった態様の他、ソケット自体によって繊維状部材を形成するといった態様を採用することができる。
【００５３】
（１７）請求項１７に記載の発明は、請求項１６に記載の義肢において、前記ソケットは、下腿の断端部が挿嵌されるものであることをその要旨としている。
大腿の断端部が挿嵌されるソケットにあっては、通常、ソケットの座骨支持面が使用者の体重を支持する形状とされていることから、ソケットの挿嵌部の奥への断端部の落ち込みがある程度規制されるようになっている。これに対して、下腿の断端部が挿嵌されるソケットにあっては、大腿用ソケットのように体重を支持する部位が少ないことから、ソケットの挿嵌部の奥に断端部が落ち込むといった問題が生じやすい。この点、上記構成によるように、下腿の断端部が挿嵌されるソケットに対して、請求項１７に記載の発明を適用すれば、ソケットの挿嵌部の奥に断端部が落ち込むことを好適に抑制することができるようになる。
【００５４】
（１８）請求項１８に記載の発明は、請求項１７に記載の義肢において、前記ソケットの内側面に設けられる前記繊維状部材は前記ソケットの内側面の体重支持部に設けられることをその要旨としている。
【００５５】
ソケットが、下腿の断端部が挿嵌されるものにあっては、使用者の足が痩せ細る等して、膝下と、これに対向するソケットの内側面との間の間隙が大きくなると、ソケットを通じて使用者の体重を好適に支持することができなくなり、ソケットの挿嵌部の奥に断端部が落ち込みやすくなる。この点、上記構成によれば、ソケットの挿嵌部の奥に断端部が落ち込もうとする場合には、ソケットの内側面の体重支持部に設けられた繊維状部材が逆毛となるため、大きな抵抗力が生じる。このため、ソケットの挿嵌部の奥に断端部が落ち込むことを的確に抑制することができるようになる。
【００５６】
また、ソケットの内側面に繊維状部材を貼り付ける構成の場合、膝下と、これに対向するソケットの内側面との間の間隙が大きくなった場合には、同間隙に応じた繊維長を有する繊維状部材に適宜貼り替えることとすれば、繊維状部材を通じての上記落ち込み抑制機能を簡易な態様によって的確に維持することができるようになる。
【００５７】
（１９）請求項１９に記載の発明は、請求項１６〜請求項１８のいずれか一項に記載の義肢において、断端部に装着されるライナーを備え、前記ソケットは、その挿嵌部に前記ライナーが装着された断端部が挿嵌されるものであり、前記ライナーの外側面において前記ソケットの内側面に設けられる前記繊維状部材に対向する位置には、前記ソケットの挿嵌部に前記ライナーを挿入する方向に傾斜する繊維状部材が設けられることをその要旨としている。
【００５８】
同構成によれば、ライナーの装着された断端部がソケットの挿嵌部に完全に挿嵌されている状態において、ソケットの挿嵌部の奥にライナーの装着された断端部が落ち込もうとする場合には、ライナーの外側面に設けられた繊維状部材が逆毛となり、またソケットの内側面に設けられた繊維状部材が逆毛となる。そして、それら繊維状部材の傾斜方向が逆方向となっているためにそれらが互いに絡み合うことで、より大きな抵抗力が生じる。これにより、ソケットの挿嵌部の奥にライナーの装着された断端部が落ち込むことを一層抑制することができるようになる。
【００５９】
ちなみに、繊維状部材の配設態様としては、ライナーの外側面に繊維状部材を貼り付けるといった態様の他、ライナー自体によって繊維状部材を形成するといった態様を採用することができる。
【００６０】
（２０）請求項２０に記載の発明は、手足の断端部に装着された状態でソケットに挿嵌される義肢用ライナーであって、前記ライナーの外側面には、前記ソケットの挿嵌部に前記ライナーを挿入する方向に傾斜する繊維状部材が設けられることをその要旨としている。
【００６１】
同構成によれば、ライナーの装着された断端部がソケットの挿嵌部に完全に挿嵌されている状態において、ソケットの挿嵌部の奥にライナーの装着された断端部が落ち込もうとする場合には、ライナーの外側面に設けられた繊維状部材が逆毛となるため、大きな抵抗力が生じる。このため、ソケットの挿嵌部の奥にライナーの装着された断端部が落ち込むことを抑制することができる。従って、容易な装着作業を通じて手足の断端部に義肢用ライナーを装着することができるとともに、簡易な構成をもって義肢用ライナーの正常な装着状態を的確に維持することができるようになる。
【図面の簡単な説明】
【００６２】
【図１】本発明の第１実施形態に係る義足についてその概略構成を示す概略構成図。
【図２】同実施形態における義足について、足の断端部Ｓに装着された状態における義足の部分断面構造を模式的に示す部分断面図。
【図３】本発明の第２実施形態に係る義足用ライナーについて、同ライナーを中心とした部分断面構造を模式的に示す部分断面図。
【図４】本発明の第３実施形態に係る義足について、同義足を中心とした一部断面構造を模式的に示す一部断面図。
【図５】本発明の第４実施形態に係る義足について、同義足を中心とした部分断面構造を模式的に示す部分断面図。
【図６】本発明の第５実施形態に係る義足の概略構成を示す概略構成図。
【図７】同実施形態における義足の横断面図であって、ライナーの開口部側における横断面構造を示す横断面図。
【図８】同実施形態における義足の横断面図であって、ライナーの先端部側における横断面構造を示す横断面図。
【図９】本発明の第６実施形態に係る義足について、（ａ）義足を中心とした正面図、（ｂ）ソケットの断面構造を示す断面図。
【図１０】図９におけるＥ−Ｅ断面構造を示す断面図。
【図１１】本発明に係る義足用ライナーの変形例について、同ライナーを中心とした断面構造を示す断面図。
【図１２】本発明に係る義足の変形例について、同義足を中心とした部分断面構造を示す部分断面図。
【図１３】本発明に係る義足の他の変形例について、同義足を中心とした部分断面構造を示す部分断面図。
【図１４】本発明に係る義足の他の変形例について、同義足を中心とした部分断面構造の部分断面図。
【図１５】本発明に係る義足用ライナーの変形例について、同ライナーを中心とした部分断面構造を示す部分断面図。
【図１６】（ａ）（ｂ）本発明に係る所定の傾斜方向及びその逆方向についての定義を説明するための略図。
【図１７】従来の義肢の斜視構造を示す斜視図。
【発明を実施するための形態】
【００６３】
＜第１実施形態＞
以下、図１及び図２を参照して、本発明に係る義肢を、下腿部において切断された足に装着される義足１として具体化した第１実施形態について説明する。
【００６４】
図１に、本実施形態の義足１の概略構成を示す。尚、同図においては、義足１を構成するライナー２とソケット３とを同軸状に離間した状態で示している。また、同図においては、ソケット３の下部の構成については図示していないが、同部分については図１７に示した従来の義足２００１におけるソケット２００３と同様或いはそれに準じた構造を有しているものとする。
【００６５】
図１に示すように、義足１は、足の断端部Ｓに装着可能なライナー２と、ライナー２が装着された断端部Ｓが挿嵌される挿嵌部４を有したソケット３とを備えている。
ライナー２は、袋状をなすとともに、使用者の断端部Ｓの形状に合った形状を有している。ここで、ライナー２は、ゴム生地を縫着することによって形成されている。ちなみに、本実施形態では、ライナー２のゴム生地として、厚さが２ｍｍ〜５ｍｍのものを採用している。
【００６６】
ソケット３は、有底筒状をなすとともに、その挿嵌部４は、ライナー２が装着された断端部Ｓの形状に合った形状を有している。ここで、ソケット３は、繊維強化樹脂によって形成されている。
【００６７】
ところで、前述したように、従来の義足には、断端部Ｓから義足が抜け落ちないようにするために、ライナーの装着された断端部Ｓに対してソケットを留めるための装着具が設けられている。
【００６８】
ところが、こうした従来の義足にあっては、上述したような義足の抜け落ちを抑制するために、ライナー及びソケットとは別に装着具が必要になるとともに、使用者はこうした装着具のベルトを断端部Ｓの周囲に巻き付けるといった煩雑な作業をその都度強いられるようになる。そのため、従来の義足にあっては、その装着作業が煩雑になりその構成も複雑になるといった問題がある。
【００６９】
これに対して、断端部Ｓから義足が抜け落ちないようにするために、ライナーの先端部に第１の連結金具を設けるとともに、ソケットの挿嵌部の底端部に第２の連結金具を設け、これら連結金具の連結を通じてライナーに装着される断端部Ｓに対してソケットを固定する義肢も開発されるに至っている。しかしながら、こうした構成を備える義足においても、ライナー及びソケットとは別に連結金具が必要になるとともに、使用者はこうした連結金具の連結及び解除といった煩雑な作業をその都度強いられるようになる。そのため、その連結作業及び解除作業が煩雑になりその構成が複雑となるといった問題が同様にしてある。またこの場合、ライナー及びソケットに各連結金具を設けるためのスペースが必要となるが、断端部Ｓの長さは使用者によって大きく異なることから、例えば断端部Ｓが長く、各連結金具を設けるためのスペースを確保することのできない使用者にあっては、こうした義足を装着することができない。更に、各連結金具の連結を通じてライナーがソケットに引っ張られることにより、断端部Ｓの先端部が引っ張られる結果、使用者に不快感を与えるといった問題が生じるおそれがある。更に、断端部Ｓの先端部がこのようにして引っ張られ続けると、断端部Ｓの肉を痩せさせてしまうといった問題が生じるおそれがある。
【００７０】
また例えば、ライナー全体をシリコン樹脂等、伸縮性に富む材料によって形成し、ライナーと断端部Ｓとの密着性が高い状態とすることにより、ライナーが断端部から抜け落ちることを抑制することもできるが、この場合には長時間の使用によって断端部Ｓとライナーとの間に蒸れが生じ、使用者に不快感を与えることとなる。またこの場合、ソケットとライナーとが密着することでソケットとライナーとの間の内部空間が密封状態とされることとなるが、使用者の動きによってソケットとライナーとが離れる際に、上記内部空間の空気が外部へ漏れ、これに伴い不快な音が発生することがある。そのため、こうした音の発生によっても、不快感を与えることとなる。
【００７１】
そこで、本実施形態では、図１に示すように、ライナー２の内側面及び外側面、並びにソケット３の挿嵌部４の内側面に、以下に詳述する繊維状部材２１、２２、４１を設けることにより、足の断端部Ｓから義足１が抜け落ちることを抑制するようにしている。
【００７２】
すなわち、ライナー２の内側面に設けられる繊維状部材２１は、ライナー２に断端部Ｓを挿入する方向Ａ（図１において下方）に傾斜する起毛である。
また、ライナー２の外側面に設けられる繊維状部材２２は、ソケット３の挿嵌部４にライナー２を挿入する方向Ｂとは逆の方向（図１において上方）に傾斜する起毛である。
【００７３】
また、ソケット３の内側面に設けられる繊維状部材４１は、ソケット３の挿嵌部４に断端部Ｓを挿入する方向Ｂ（図１において下方）に傾斜する起毛である。ここで、ソケット３の内側面に設けられる繊維状部材４１は、義足１が断端部Ｓに装着された状態において、ライナー２の外側面に設けられる繊維状部材２２に対向する位置に設けられている。
【００７４】
尚、図１では、便宜上、各繊維状部材２１、２２、４１、すなわち起毛を誇張して記載している。
次に、図２を併せ参照して、本実施形態の作用について説明する。
【００７５】
図２に、義足１が足の断端部Ｓに装着された状態における同義足１の部分断面構造を模式的に示す。尚、同図においては、便宜上、断端部Ｓとライナー２とを、またライナー２とソケット３とを、それぞれ離間して示しているが、実際には、これらはそれぞれ接触した状態となっている。
【００７６】
図１に示すように、ライナー２に対して断端部Ｓを挿入する場合には、ライナー２の内側面に設けられた繊維状部材２１の起毛が順毛となるため、その挿入に際して生じる抵抗力は小さい。このため、ライナー２の内側面に繊維状部材２１を設けることに起因してライナー２の装着が困難なものとなることはない。また、ソケット３の挿嵌部４に対してライナー２が装着された断端部Ｓを挿入する場合には、ライナー２の外側面に設けられた繊維状部材２２の起毛が順毛となり、またソケット３の挿嵌部４の内側面に設けられた繊維状部材４１の起毛が順毛となるため、その挿入に際して生じる抵抗力は小さい。このため、ライナー２の外側面に繊維状部材２２を設けること、及びソケット３の挿嵌部４の内側面に繊維状部材４１を設けることに起因してソケット３の装着が困難なものとなることはない。
【００７７】
一方、図２に示すように、ライナー２が断端部Ｓから抜け落ちようとする場合には、ライナー２の内側面に設けられた繊維状部材２１の起毛が逆毛となるため、大きな抵抗力が生じる。このため、ライナー２が断端部Ｓから抜け落ちることが抑制されるようになる。また、ライナー２の装着された断端部Ｓ、すなわちライナー２によって被覆された断端部Ｓからソケット３が抜け落ちようとする場合には、ライナー２の外側面に設けられた繊維状部材２２の起毛が逆毛となり、またソケット３の挿嵌部４の内側面に設けられた繊維状部材４１の起毛も逆毛となる。そして、それら起毛の傾斜方向が逆方向となっているためにそれらが互いに絡み合うことで、より大きな抵抗力が生じる。このため、ライナー２の装着された断端部Ｓからソケット３が抜け落ちることが抑制されるようになる。
【００７８】
以上説明した本実施形態に係る義肢によれば、以下に示す作用効果が得られるようになる。
（１）義足１は、足の断端部Ｓが挿嵌可能な挿嵌部４を有したソケット３を備えるものとした。また、ソケット３の内側面には、ソケット３の挿嵌部４に断端部Ｓを挿入する方向Ｂに傾斜する起毛である繊維状部材４１が設けられるものとした。これにより、容易な装着作業を通じて足の断端部Ｓに義足１を装着することができるとともに、義足１が断端部Ｓから抜け落ちることを簡易な構成をもって抑制することができ、義足１の正常な装着状態を維持することができるようになる。また、従来の義足に設けられる装着具を用いずとも、義足１が断端部Ｓから抜け落ちることを抑制することができることから、装着具によって使用者の自由な動きが妨げられるといった従来の義足における問題が生じることもない。
【００７９】
（２）義足１は、断端部Ｓに装着されるライナー２を備え、ソケット３の挿嵌部４にはライナー２が装着された断端部Ｓが挿嵌されるものとした。また、ライナー２の内側面には、ライナー２に断端部Ｓを挿入する方向Ａに傾斜する起毛である繊維状部材２１が設けられるものとした。これにより、容易な装着作業を通じて足の断端部Ｓにライナー２を装着することができるとともに、ライナー２が断端部Ｓから抜け落ちることを簡易な構成をもって抑制することができ、ライナー２の正常な装着状態を維持することができるようになる。また、シリコン樹脂等の材料によって形成されるライナーを用いてライナーと断端部Ｓとの密着性を高くしなくとも、ライナー２が断端部Ｓから抜け落ちることを抑制することができることから、長時間の使用によって断端部Ｓとライナー２との間に蒸れが生じることはなく、使用者に不快感を与えることはない。また、ソケット３とライナー２とが密着することがないことから、ソケット３とライナー２との間の内部空間が密閉状態とされることがなく、不快な音が発生することもない。
【００８０】
（３）ライナー２の外側面には、ソケット３の挿嵌部４にライナー２を挿入する方向Ｂとは逆の方向に傾斜する起毛である繊維状部材２２が設けられるものとした。これにより、容易な装着作業を通じて足の断端部Ｓにソケット３を装着することができるとともに、ソケット３が断端部Ｓから抜け落ちることを簡易な構成をもって抑制することができ、ソケット３の正常な装着状態を維持することができるようになる。
【００８１】
（４）ライナー２は、ゴム生地によって形成されるものとした。これにより、使用者の断端部Ｓの形状が、ある程度変化した場合であっても、断端部Ｓとソケット３の内側面との間におけるライナー２の弾性変形を通じて、ソケット３の内側面に対して断端部Ｓが当接した状態に維持される。これにより、ライナー２の内側面に設けられる繊維状部材２１を、これに対向する断端部Ｓに対して接触させた状態に好適に維持することができるとともに、ソケット３の挿嵌部４の内側面に設けられる繊維状部材４１を、これに対向するライナー２の外側面に設けられる繊維状部材２２に対して接触させた状態に好適に維持することができるようになる。
＜第２実施形態＞
以下、図３を参照して、本発明に係る義肢用ライナーを、下腿部において切断された足の断端部Ｓに装着される義足用ライナー（以下、「ライナー１０２」）として具体化した第２実施形態について説明する。
【００８２】
図３に、本実施形態のライナー１０２について、同ライナー１０２を中心とした部分断面構造を模式的に示す。尚、同図は、ライナー１０２が装着された足の断端部Ｓがソケット１０３の挿嵌部１０４に挿嵌されている状態を示している。また、便宜上、断端部Ｓとライナー１０２とを、またライナー１０２とソケット１０３の挿嵌部１０４とを、それぞれ離間して示しているが、実際には、これらはそれぞれ接触した状態となっている。また、第１実施形態において例示した構成と同一の構成（例えば符号「２」が付される構成）については対応する符号として「１００」を加算した符号（例えば「１０２」）を付すことにより重複する説明を割愛する。
【００８３】
以下、第１実施形態との相違点を中心に説明する。
図３に示すように、ライナー１０２は、先の第１実施形態において例示したライナー２と同一の構成である。
【００８４】
一方、ソケット１０３には、その挿嵌部１０４の内側面に、先の第１実施形態において例示した繊維状部材４１が設けられていない。すなわち、ソケット１０３の挿嵌部１０４の内側面は、ソケット１０３を構成する繊維強化樹脂によって形成される素面が露出している。
【００８５】
次に、本実施形態の作用について説明する。
ライナー１０２に対して断端部Ｓを挿入する場合には、ライナー１０２の内側面に設けられた繊維状部材１２１が順毛となるため、その挿入に際して生じる抵抗力は小さい。このため、ライナー１０２の内側面に繊維状部材１２１を設けることに起因してライナー１０２の装着が困難なものとなることはない。また、ソケット１０３の挿嵌部１０４に対してライナー１０２が装着された断端部Ｓを挿入する場合には、ライナー１０２の外側面に設けられた繊維状部材１２２が順毛となるため、その挿入に際して生じる抵抗力は小さい。このため、ライナー１０２の外側面に繊維状部材１２２を設けることに起因してソケットの装着が困難なものとなることはない。
【００８６】
一方、ライナー１０２が断端部Ｓから抜け落ちようとする場合には、ライナー１０２の内側面に設けられた繊維状部材１２１が逆毛となるため、大きな抵抗力が生じる。このため、ライナー１０２が断端部Ｓから抜け落ちることが抑制されるようになる。また、ライナー１０２の装着された断端部Ｓ、すなわちライナー１０２によって被覆された断端部Ｓからソケット１０３が抜け落ちようとする場合には、ライナー１０２の外側面に設けられた繊維状部材１２２が逆毛となるため、大きな抵抗力が生じる。このため、ライナー１０２の装着された断端部Ｓからソケット１０３が抜け落ちることが抑制されるようになる。
【００８７】
以上説明した本実施形態に係る義肢用ライナーによれば、第１実施形態の作用効果（４）に加えて、以下に示す作用効果が得られるようになる。
（５）ライナー１０２は、足の断端部Ｓに装着された状態でソケット１０３に挿嵌されるものであって、ライナー１０２の内側面には、ライナー１０２に断端部Ｓを挿入する方向Ａに傾斜する起毛である繊維状部材１２１が設けられるものとした。これにより、容易な装着作業を通じて足の断端部Ｓにライナー１０２を装着することができるとともに、ライナー１０２が断端部Ｓから抜け落ちることを簡易な構成をもって抑制することができ、ライナー１０２の正常な装着状態を維持することができるようになる。また、シリコン樹脂等の材料によって形成されるライナーを用いてライナーと断端部Ｓとの密着性を高くしなくとも、ライナー１０２が断端部Ｓから抜け落ちることを抑制することができることから、長時間の使用によって断端部Ｓとライナー１０２との間に蒸れが生じることはなく、使用者に不快感を与えることはない。また、ソケット１０３とライナー１０２とが密着することがないことから、ソケット１０３とライナー１０２との間の内部空間が密閉状態とされることがなく、不快な音が発生することもない。
【００８８】
（６）ライナー１０２の外側面には、ソケット１０３の挿嵌部１０４にライナー１０２を挿入する方向Ａとは逆の方向に傾斜する起毛である繊維状部材１２２が設けられるものとした。これにより、容易な装着作業を通じて足の断端部Ｓにソケット１０３を装着することができるとともに、ソケット１０３が断端部Ｓから抜け落ちることを簡易な構成をもって抑制することができ、ソケット１０３の正常な装着状態を維持することができるようになる。
＜第３実施形態＞
以下、図４を参照して、本発明に係る義肢を、下腿部において切断された足の断端部Ｓに装着される義足２０１として具体化した第３実施形態について説明する。
【００８９】
図４に、本実施形態の義足２０１について、同義足２０１を中心とした一部断面構造を模式的に示す。尚、同図は、足の断端部Ｓに義足２０１が装着された状態を示している。また、便宜上、断端部Ｓとソケット２０３とを離間して示しているが、実際には、これらは接触した状態となっている。
【００９０】
同図に示すように、ソケット２０３の底部には、ソケット２０３の底面から下方に突出する凸部を有する金属製のソケット側連結部２４４が内設されている。このソケット側連結部２４４の凸部は、足部２０９及び管部２０８に連結される連結部２０７において同連結部２０７の上部に形成される凹部に挿入されて係合されるようになっている。
【００９１】
本実施形態では、ソケット２０３の挿嵌部２０４の内側面に、以下に詳述する繊維状部材２４１を設けることにより、足の断端部Ｓからソケット２０３が抜け落ちることを抑制するようにしている。すなわち、繊維状部材２４１は、ソケット２０３の挿嵌部２０４に断端部Ｓを挿入する方向に傾斜する起毛であり、ソケット２０３の挿嵌部２０４の内側面全体に形成されている。
【００９２】
次に、本実施形態の作用について説明する。
ソケット２０３の挿嵌部２０４に対して断端部Ｓを挿入する場合には、繊維状部材２４１が順毛となるため、その挿入に際して生じる抵抗力は小さい。このため、ソケット２０３の内側面に繊維状部材２４１を設けることに起因してソケット２０３の装着が困難なものとなることはない。
【００９３】
一方、ソケット２０３が断端部Ｓから抜け落ちようとする場合には、繊維状部材２４１が逆毛となるため、大きな抵抗力が生じる。このため、ソケット２０３が断端部Ｓから抜け落ちることが抑制されるようになる。
【００９４】
以上説明した本実施形態に係る義肢によれば、以下に示す作用効果が得られるようになる。
（７）義足２０１は、足の断端部Ｓを挿嵌可能な挿嵌部２０４を有したソケット２０３を備えるものであって、ソケット２０３の内側面には、ソケット２０３の挿嵌部２０４に断端部Ｓを挿入する方向に傾斜する起毛である繊維状部材２４１が設けられるものとした。これにより、容易な装着作業を通じて足の断端部Ｓに義足２０１を装着することができるとともに、義足２０１が断端部Ｓから抜け落ちることを簡易な構成をもって抑制することができ、義足２０１の正常な装着状態を維持することができるようになる。
＜第４実施形態＞
以下、図５を参照して、本発明に係る義足を、下腿部において切断された足の断端部Ｓに装着される義足３０１として具体化した第４実施形態について説明する。
【００９５】
図５に、本実施形態の義足３０１について、同義足３０１を中心とした部分断面構造を模式的に示す。尚、同図は、足の断端部Ｓに義足３０１が装着された状態を示している。また、便宜上、断端部Ｓとソケット３０３とを離間して示しているが、実際には、これらは接触した状態となっている。
【００９６】
同図に示すように、ソケット３０３は、有底筒状をなすとともに繊維強化樹脂によって形成されるソケット本体３０３Ａと、袋状をなすとともにソケット本体３０３Ａの内側面に貼り付けられるライナー部３０３Ｂとを備えている。ここで、ライナー部３０３Ｂは、上記第１実施形態において例示したライナー２を形成するゴム生地と同じ材料によって形成されている。このように、本実施形態では、ソケット本体３０３Ａとライナー部３０３Ｂとが一体化されている。以下では、ソケット本体３０３Ａの内側面に貼り付けられたライナー部３０３Ｂの内側面を、「ソケット３０３の内側面」として説明する。
【００９７】
本実施形態では、ソケット３０３の挿嵌部３０４の内側面に、以下に詳述する繊維状部材３４１を設けることにより、足の断端部Ｓからソケット３０３が抜け落ちることを抑制するようにしている。
【００９８】
すなわち、繊維状部材３４１は、ソケット３０３の挿嵌部３０４に断端部Ｓを挿入する方向Ａに傾斜する起毛であり、ソケット３０３の挿嵌部３０４の内側面全体に形成されている。
【００９９】
次に、本実施形態の作用について説明する。
ソケット３０３の挿嵌部３０４に対して断端部Ｓを挿入する場合には、繊維状部材３４１が順毛となるため、その挿入に際して生じる抵抗力は小さい。このため、ソケット３０３の内側面に繊維状部材３４１を設けることに起因してソケット３０３の装着が困難なものとなることはない。
【０１００】
一方、ソケット３０３が断端部Ｓから抜け落ちようとする場合には、繊維状部材３４１が逆毛となるため、大きな抵抗力が生じる。このため、ソケット３０３が断端部Ｓから抜け落ちることが抑制されるようになる。
【０１０１】
以上説明した本実施形態に係る義肢によれば、上記第３実施形態の作用効果（７）に準じた作用効果が得られるようになる。
＜第５実施形態＞
以下、図６〜図８を参照して、本発明に係る義肢を、下腿部において切断された足の断端部Ｓに装着される義足４０１として具体化した第５実施形態について説明する。
【０１０２】
図６に、本実施形態の義足４０１の概略構成を示す。尚、同図においては、義足４０１を構成するライナー４０２の側面構造とソケット４０３の部分断面構造とを同軸状に離間した状態で示している。また、第１実施形態において例示した構成と同一の構成（例えば符号「２」が付される構成）については対応する符号として「４００」を加算した符号（例えば「４０２」）を付すことにより重複する説明を割愛する。
【０１０３】
以下、第１実施形態との相違点を中心に説明する。
本実施形態では、ライナー４０２の外側面及びソケット４０３の挿嵌部４０４の内側面に、以下の繊維状部材４２３、４２４、４４３、４４４を設けることにより、ソケット４０３が同ソケット４０３の周方向（ライナー４０２の周方向）Ｘ，Ｙに回動することを抑制するようにしている。
【０１０４】
同図に示すように、本実施形態では、ライナー４０２の外側面において同ライナー４０２の開口部側（同図中において上側）に、第１繊維状部材４２３が設けられている。また、ライナー４０２の外側面において同ライナー４０２の先端部側（同図中において下側）に、第２繊維状部材４２４が設けられている。これら繊維状部材４２３、４２４は、ライナー４０２の外側面全周にわたり所定の幅をもって形成されている。
【０１０５】
また、ソケット４０３の挿嵌部４０４の内側面において同挿嵌部４０４の開口部側（同図中において上側）に、第２繊維状部材４４３が設けられている。また、ソケット４０３の挿嵌部４０４の内側面において同挿嵌部４０４の底部側（同図中において下側）に、第１繊維状部材４４４が設けられている。これら繊維状部材４４３、４４４は、ソケット４０３の挿嵌部４０４の内側面全周にわたり所定の幅をもって設けられている。
【０１０６】
次に、図７及び図８を参照して、ライナー４０２の外側面及びソケット４０３の挿嵌部４０４の内側面に設けられる繊維状部材４２３、４２４、４４３、４４４について詳細に説明する。
【０１０７】
図７に、ライナー４０２の装着された断端部Ｓがソケット４０３の挿嵌部４０４に挿嵌された状態における義足４０１の横断面構造であって、繊維状部材４２３、４４３の配設位置における横断面構造を示す。また図８に、ライナー４０２の装着された断端部Ｓがソケット４０３の挿嵌部４０４に挿嵌された状態における義足４０１の横断面構造であって、繊維状部材４２４、４４４の配設位置における横断面構造を示す。尚、これらの図においては、便宜上、ライナー４０２とソケット４０３とを離間して示しているが、実際には、これらはそれぞれ接触した状態となっている。
【０１０８】
図７に示すように、ライナー４０２の外側面に設けられる第１繊維状部材４２３は、同ライナー４０２の周方向において、すなわち同ライナー４０２の外側面に沿って周回する方向において所定の方向Ｘに傾斜する起毛である。一方、ソケット４０３の内側面に設けられる第２繊維状部材４４３は、同ソケット４０３の周方向において上記所定の方向Ｘとは逆の方向Ｙに傾斜する起毛である。
【０１０９】
図８に示すように、ライナー４０２の外側面に設けられる第２繊維状部材４２４は、同ライナー４０２の周方向において所定の方向Ｘに傾斜する起毛である。一方、ソケット４０３の内側面に設けられる第１繊維状部材４４４は、同ソケット４０３の周方向において上記所定の方向Ｘに傾斜する起毛である。
【０１１０】
尚、これら図７、８では、便宜上、各繊維状部材４２３、４２４、４４３、４４４の起毛を誇張して記載している。
次に、図７及び図８を参照して、本実施形態の作用について説明する。
【０１１１】
図７に示すように、ライナー４０２の装着された足の断端部Ｓがソケット４０３の挿嵌部４０４に挿嵌された状態において、ソケット４０３が、同ソケット４０３の周方向において所定の方向Ｘとは逆の方向Ｙに回転しようとする場合には、同ソケット４０３の内側面に設けられた第２繊維状部材４４３が逆毛となり、またライナー４０２の外側面に設けられた第１繊維状部材４２３が逆毛となる。そしてそれら繊維状部材４４３、４２３の傾斜方向が逆方向となっているためにそれらが絡み合うことで、大きな抵抗力が生じる。このため、ソケット４０３が、同ソケット４０３の周方向において上記所定の方向Ｘとは逆の方向Ｙに回転することが抑制されるようになる。
【０１１２】
図８に示すように、ライナー４０２の装着された足の断端部Ｓがソケット４０３の挿嵌部４０４に挿嵌された状態において、ソケット４０３が、上記所定の方向Ｘに回転しようとする場合には、同ソケット４０３の内側面に設けられた第１繊維状部材４４４が逆毛となり、またライナー４０２の外側面に設けられた第２繊維状部材４２４が逆毛となる。そしてそれら繊維状部材の傾斜方向が逆方向となっているためにそれらが絡み合うことで、大きな抵抗力が生じる。このため、ソケット４０３が、同ソケット４０３の周方向において上記所定の方向Ｘに回転することが抑制されるようになる。
【０１１３】
このようにして、ソケット４０３が、同ソケット４０３の周方向において所定の方向Ｘに回転する場合であれ、同所定の方向Ｘとは逆の方向Ｙに回転する場合であれ、ソケット４０３の内側面及びライナー４０２の外側面に設けられた各繊維状部材４４３、４４４、４２３、４２４のうち対応する繊維状部材４４３、４２３（４４４、４２４）が絡み合うようになるため、上記所定の方向Ｘの回転及びその逆の方向Ｙの回転の双方が抑制されるようになる。すなわち、ソケット４０３がその周方向に回動することが抑制されるようになる。
【０１１４】
以上説明した本実施形態に係る義肢によれば、以下に示す作用効果が得られるようになる。
（８）義足４０１は、足の断端部Ｓが挿嵌される挿嵌部４０４を有したソケット４０３を備えるものであって、ソケット４０３の内側面には、同ソケット４０３の周方向において所定の方向Ｙに傾斜する第１繊維状部材４４４と、同所定の方向Ｘとは逆の方向Ｙに傾斜する第２繊維状部材４４３とが設けられるものとした。これにより、容易な装着作業を通じて足の断端部Ｓに義足４０１を装着することができるとともに、義足４０１が断端部Ｓに対して回転することを簡易な構成をもって抑制することができ、義足４０１の正常な装着状態を維持することができるようになる。
【０１１５】
（９）義足４０１は、断端部Ｓに装着されるライナー４０２を備え、ソケット４０３の挿嵌部４０４にはライナー４０２が装着された断端部Ｓが挿嵌されるものとした。また、ライナー４０２の外側面には、同ライナー４０２の周方向において所定の方向Ｘに傾斜する第１繊維状部材４２３と、同所定の方向Ｘとは逆の方向Ｙに傾斜する起毛を有した第２繊維状部材４２４とが設けられるものとした。これにより、容易な装着作業を通じて足の断端部Ｓに義足４０１を装着することができるとともに、義足４０１が断端部に対して回転することを簡易な構成をもって的確に抑制することができ、義足４０１の正常な装着状態を好適に維持することができるようになる。
【０１１６】
（１０）ライナー４０２の装着された足の断端部Ｓがソケット４０３の挿嵌部４０４に挿嵌された状態で、ソケット４０３の内側面に設けられた第２繊維状部材４４３と、ライナー４０２の外側面に設けられる第１繊維状部材４２３とを互いに接触するように構成し、且つそれら接触する繊維状部材４４３、４２３の傾斜方向が逆方向となるように構成した。また、ソケット４０３の内側面に設けられる第１繊維状部材４４４と、ライナー４０２の外側面に設けられる第２繊維状部材４２４とを互いに接触するように構成し、且つそれら接触する繊維状部材４４４、４２４の傾斜方向が逆方向となるように構成した。これにより、容易な装着作業を通じて足の断端部Ｓに義足４０１を装着することができるとともに、義足４０１が断端部Ｓに対して回転することを簡易な構成をもって一層的確に抑制することができ、義足４０１の正常な装着状態を一層的確に維持することができるようになる。
＜第６実施形態＞
以下、図９及び図１０を参照して、本発明に係る義肢を、下腿部において切断された足の断端部Ｓに装着される義足５０１として具体化した第６実施形態について説明する。
【０１１７】
図９（ａ）、（ｂ）に、本実施形態の義足５０１の概略構成を示す。尚、同図（ａ）は、義足５０１を中心とした正面構造を示したものであり、同図（ｂ）は、ソケット５０３の断面構造を示したものである。また、同図中において、膝を「Ｋ」にて示している。また、図１０に、図９のＥ−Ｅ断面構造を示す。
【０１１８】
尚、これら図９及び図１０では、第１実施形態において例示した構成と同一の構成（例えば符号「２」が付される構成）については対応する符号として「５００」を加算した符号（例えば「５０２」）を付すことにより重複する説明を割愛する。
【０１１９】
以下、第１実施形態との相違点を中心に説明する。
図９に示すように、ソケット５０３は、下腿の断端部Ｓが挿嵌可能なものであり、その挿嵌部５０４における入口部分５０５が使用者の膝下に位置する。
【０１２０】
ところで、大腿の断端部が挿嵌されるソケットにあっては（図示略）、通常、ソケットの座骨支持面が使用者の体重を支持する形状とされていることから、ソケットの挿嵌部の奥への断端部の落ち込みがある程度規制されるようになっている。これに対して、図９（ａ）に示すように、下腿の断端部Ｓが挿嵌されるソケット５０３にあっては、大腿用ソケットのように体重を支持する部位が少ないことから、ソケット５０３の挿嵌部５０４の奥に断端部Ｓが落ち込むといった問題が生じやすい。特に、ソケット５０３が、下腿の断端部Ｓが挿嵌されるものにあっては、使用者の足が痩せ細る等して、膝下と、これに対向するソケット５０３の内側面との間の間隙が大きくなると、ソケット５０３を通じて使用者の体重を好適に支持することができなくなり、ソケット５０３の挿嵌部５０４の奥に断端部Ｓが落ち込みやすくなる。
【０１２１】
そこで、本実施形態では、図９（ｂ）及び図１０に併せ示すように、ソケット５０３の内側面に、より具体的には、その膝下に位置する部位を含む内側面に、同ソケット５０３の挿嵌部５０４に断端部Ｓを挿入する方向Ａとは逆の方向に傾斜する繊維状部材５４５を設けるようにしている。ここで、繊維状部材５４５が設けられる部位には、体重支持部が含まれている。尚、ソケット５０３の内側面において繊維状部材５４５が設けられている部位以外の部位には、先の第１実施形態において例示した繊維状部材４１と同一の繊維状部材５４１が設けられている。
【０１２２】
また、図１０に示すように、ライナー５０２の外側面においてソケット５０３の内側面に設けられる繊維状部材５４５に対向する位置には、ソケット５０３の挿嵌部５０４にライナー５０２を挿入する方向Ａに傾斜する繊維状部材５２５を設けるようにしている。尚、ライナー５０２の外側面において繊維状部材５２５が設けられている部位以外の部位には、先の第１実施形態において例示した繊維状部材２２と同一の繊維状部材５２２が設けられている。また、ライナー５０２の内側面には、先の第１実施形態において例示した繊維状部材２１と同一の繊維状部材５２１が設けられている。
【０１２３】
以下、本実施形態の作用を説明する。
図１０に示すように、ライナー５０２の装着された断端部Ｓがソケット５０３の挿嵌部５０４に完全に挿嵌されている状態において、ソケット５０３の挿嵌部５０４の奥に断端部Ｓが落ち込もうとする場合には、ソケット５０３の内側面の体重支持部に設けられた繊維状部材５４５の逆毛となり、またライナー５０２の外側面に設けられた繊維状部材５２５が逆毛となる。そして、それら繊維状部材５４５、５２５の傾斜方向が逆方向となっているためにそれらが互いに絡み合うことで、大きな抵抗力が生じる。このため、ソケット５０３の挿嵌部５０４の奥に断端部Ｓが落ち込むことが抑制されるようになる。
【０１２４】
ここで、ソケット５０３の挿嵌部５０４は、その入口部分５０５がその他の部分よりも大きな径を有しているため、ソケット５０３の装着時において、ライナー５０２の外側面においてソケット５０３の内側面に対向する位置に設けられた繊維状部材５２５は逆毛になりにくく、またソケット５０３の内側面に設けられた繊維状部材５４５は逆毛になりにくい。そのため、ソケット５０３の装着が困難なものとなることはない。すなわち、ソケット５０３の挿嵌部５０４に断端部Ｓが完全に挿嵌された状態で更に断端部Ｓが落ち込もうとする場合に、これら繊維状部材５２５、５４５が逆毛となって上述したような落ち込みの抑制機能が作用することとなる。
【０１２５】
以上説明した本実施形態に係る義肢によれば、第１実施形態の作用効果（１）〜（４）に加えて、以下に示す作用効果が得られるようになる。
（１１）ソケット５０３の内側面には、同ソケット５０３の挿嵌部５０４に断端部Ｓを挿入する方向Ａとは逆の方向に傾斜する繊維状部材５４５が設けられるものとした。これにより、容易な装着作業を通じて足の断端部Ｓに義足５０１を装着することができるとともに、ソケット５０３の挿嵌部５０４の奥に断端部Ｓが落ち込むことを簡易な構成をもって抑制することができ、義足５０１の正常な装着状態を維持することができるようになる。
【０１２６】
（１２）ソケット５０３は、下腿の断端部Ｓが挿嵌されるものであって、ソケット５０３は、その挿嵌部５０４における入口部分５０５が膝下に位置するものであり、繊維状部材５４５はその膝下に位置する部位の内側面、すなわち体重支持部に設けられるものとした。これにより、ソケット５０３の挿嵌部５０４の奥に断端部Ｓが落ち込むことを的確に抑制することができるようになる。
【０１２７】
（１３）義足５０１は、断端部Ｓに装着されるライナー５０２を備えるものとした。また、ソケット５０３はその挿嵌部５０４にライナー５０２が装着された断端部Ｓが挿嵌されるものであり、ライナー５０２の外側面においてソケット５０３の内側面に設けられる繊維状部材５４５に対向する位置には、ソケット５０３の挿嵌部５０４にライナー５０２を挿入する方向Ａに傾斜する繊維状部材５２５が設けられるものとした。これにより、ソケット５０３の挿嵌部５０４の奥に断端部Ｓが落ち込むことを一層抑制することができるようになる。
【０１２８】
尚、本発明に係る義肢及び義肢用ライナーは、上記実施形態にて例示した構成に限定されるものではなく、これを適宜変更した例えば次のような形態として実施することもできる。
【０１２９】
・上記第１実施形態では、有底筒状のソケット３について例示したが、これに代えて、底なしの筒状のソケットとしてもよい。
・上記各実施形態では、厚さが２ｍｍ〜５ｍｍのゴム生地によってライナーを構成するようにしているが、ライナーの厚さはこれに限られるものではなく、他に例えば、ライナーが使用される環境、特に気温や湿度等に応じて、５ｍｍ以上の厚さを有するゴム生地や２ｍｍ未満の厚さを有するゴム生地に変更することもできる。
【０１３０】
・上記各実施形態では、ゴム生地によってライナーを形成するようにしているが、ライナーの材料はこれに限られるものではなく、他に例えば織布や不織布といった他の材料によって形成することもできる。
【０１３１】
・上記各実施形態においては、繊維状部材を直毛のものについてのみ例示したが、繊維状部材の形状はこれに限られるものではなく、他に例えば、湾曲したものや、螺旋状のものであってもよい。こうした繊維状部材としては、その毛根から毛先にかけて全体として、上記各実施形態において例示した所定の方向に傾斜しているものであればよい。
【０１３２】
・上記第１実施形態では、ゴム生地の縫着によってライナー２を形成していることから、ライナー２の内側面に繊維状部材２１が設けられることに加え、ライナー２の底面にも繊維状部材２１が設けられるようになっている。しかしながら、本発明に係る繊維状部材は、必ずしもライナーの底面に設けられる必要はなく、これに代えて、図１１に示すように、ライナー６０２の内側面にのみ繊維状部材６２１を設け、ライナー６０２の底面についてはシリコン樹脂等、伸縮性や弾力性に富む材料によって形成されるスペーサ６０５を設けるようにしてもよい。これにより、断端部Ｓの先端とスペーサ６０５とが密着した状態に維持されることから、使用者の動きによってライナー６０２の底面と断端部Ｓの先端面とが離れること、及びこのことに起因する不快な音の発生を抑制することができるようになる。
【０１３３】
・上記第１実施形態では、繊維状部材２１、２２、４１をライナー２の内側面の一部分、外側面の一部分、或いはソケット３の内側面の一部分に繊維状部材を設けるようにしているが、これらをライナー２の内側面全体、ライナー２の外側面全体、及びソケット３の内側面全体に設けるようにしてもよい。
【０１３４】
・上記第１実施形態によるように、ライナー２の外側面に繊維状部材２２を設けることが、こうした繊維状部材２２と、ソケット３の内側面に設けられた繊維状部材４１とを互いに絡み合わせて、ライナー２の装着された断端部Ｓからソケット３が抜け落ちることを的確に抑制する上では望ましい。しかしながら、本発明に係る義肢及び義肢用ライナーはこれに限られるものではなく、例えば義足が比較的軽い場合のように、ライナーの装着された断端部Ｓからソケットが抜け落ちることを抑制する上で必要とされる抵抗力がそれほど大きくない場合であれば、図１２に示す義足７０１及びライナー７０２のように、ライナー７０２の内側面にのみ繊維状部材７２１を設け、ライナー７０２の外側面については繊維状部材を設けないようにしてもよい。この場合であっても、ソケット７０３の内側面に設けられた繊維状部材７４１によって、ライナー７０２の装着された断端部Ｓからソケット７０３が抜け落ちようとすることを、ある程度は抑制することができるようになる。
【０１３５】
・上記第１実施形態によるように、ライナー２の内側面に繊維状部材２１を設けることが、足の断端部Ｓからライナー２が抜け落ちることを抑制する上では望ましい。しかしながら、本発明に係る義肢及び義肢用ライナーはこれに限られるものではなく、例えばライナーが樹脂によって形成されるものであって、ライナー自身の復元力によって断端部Ｓから同ライナーが抜け落ちることを抑制することができる場合には、図１３に示す義足８０１及びライナー８０２のように、ライナー８０２の外側面に繊維状状留め部材８２２を設け、ライナー８０２の内側面には繊維状部材を設けないようにすることもできる。
【０１３６】
・本発明に係る義肢は、ライナーの内側面及び外側面の少なくとも一方に繊維状部材が設けられるものに限らず、他に例えば、図１４に示す義足９０１のように、ソケット９０３の挿嵌部９０４の内側面にのみ繊維状部材９４１を設け、ライナー９０２については、その内側面及び外側面の双方に繊維状部材を設けないようにすることもできる。この場合であっても、例えばライナーが樹脂によって形成されるものであって、ライナー自身の復元力によって断端部Ｓからライナーが抜け落ちることを抑制することができるのであれば、ソケット９０３の挿嵌部９０４の内側面に設けられる繊維状部材９４１によって、ライナー９０２の装着された断端部Ｓからソケット９０３が抜け落ちることを、ある程度は抑制することができるようになる。
【０１３７】
・上記第２実施形態によるように、ライナー１０２の内側面に繊維状部材１２１を設けることが、足の断端部Ｓからライナー１０２が抜け落ちることを抑制する上では望ましい。しかしながら、本発明に係る義肢用ライナーはこれに限られるものではなく、例えばライナーが樹脂によって形成されるものであって、ライナー自身の復元力によって断端部Ｓからライナーが抜け落ちることを抑制することができる場合には、図１５に示すライナー１００２のように、その内側面に繊維状部材を設けないようにすることもできる。すなわち、ライナー１００２の外側面にのみ繊維状状留め部材１０２２を設けるようにしてもよい。この場合であっても、ライナー１００２の外側面に設けられる繊維状部材１０２２によって、断端部Ｓからソケット１００３が抜け落ちることを、ある程度は抑制することができるようになる。
【０１３８】
・上記第５実施形態では、繊維状部材４２３、４２４、４４３、４４４を、ソケット４０３の周方向（ライナー４０２の周方向）において全周にわたって設けるようにしているが、これらを、ソケット４０３の周方向において部分的に設けるようにしてもよい。
【０１３９】
・上記第５実施形態によるように、ライナー４０２の装着された足の断端部Ｓがソケット４０３の挿嵌部４０４に挿嵌された状態で、ソケット４０３の内側面に設けられる繊維状部材４４３、４４４とライナー４０２の外側面に設けられる繊維状部材４２３、４２４とを互いに接触するように構成し、且つそれら接触する繊維状部材４４３、４２３（４４４、４２４）の傾斜方向が逆方向となるように構成することが、ソケット４０３が同ソケット４０３の周方向に回動することを的確に抑制する上では望ましい。しかしながら、本発明に係る義肢はこれに限られるものではなく、上記第５実施形態において、ソケット４０３の内側面に設けられる第１繊維状部材４４４及び第２繊維状部材４４３のいずれか一方を割愛するようにすることや、第１繊維状部材４４４及び第２繊維状部材４４３のいずれか一方を、ライナー４０２の外側面に設けられる第２繊維状部材４２４及び第１繊維状部材４２３に接触しない位置に設けるようにすることもできる。また、上記第５実施形態において、ライナー４０２の外側面に設けられる第１繊維状部材４２３及び第２繊維状部材４２４のいずれか一方を割愛するようにすることもできる。更に、ソケット４０３の挿嵌部４０４の内側面に設けられる繊維状部材４４４、４４３とライナー４０２の外側面に設けられる繊維状部材４２３、４２４とが互いに接触しないように構成することもできる。
【０１４０】
・上記第５実施形態では、ソケット４０３の内側面及びライナー４０２の外側面の双方に、繊維状部材４４３、４４４、４２３、４２４を設けるようにしているが、本発明に係る義肢はこれに限られるものではなく、ライナーの外側面に繊維状部材を設けないようにすることもできる。すなわち、ソケットの内側面にのみ繊維状部材が設けられるものであっても、断端部Ｓに対して義足が回動することをある程度は抑制することができるようになる。また、これとは反対に、ソケットの内側面に繊維状部材を設けないようにすることもできる。すなわち、ライナーの外側面にのみ繊維状部材が設けられるものであっても、断端部Ｓに対して義肢が回動することをある程度は抑制することができるようになる。
【０１４１】
・上記第５実施形態では、ソケット４０３の内側面に、同ソケット４０３の周方向において所定の方向Ｘに傾斜する第１繊維状部材４４４と、同所定の方向Ｘとは逆の方向Ｙに傾斜する第２繊維状部材４４３とを設けるようにしている。しかしながら、これに代えて、ソケットの内側面に、第１繊維状部材４４４及び第２繊維状部材４４３のいずれか一方のみを設けるようにすることもできる。
【０１４２】
・上記第５実施形態では、ライナー４０２の外側面に、同ライナー４０２の周方向において所定の方向Ｘに傾斜する第１繊維状部材４２３と、同所定の方向Ｘとは逆の方向Ｙに傾斜する第２繊維状部材４２４とを設けるようにしている。しかしながら、これに代えて、ライナーの外側面に、第１繊維状部材４２３及び第２繊維状部材４２４のいずれか一方のみを設けるようにすることもできる。
【０１４３】
・上記第６実施形態では、図９（ｂ）に示すように、ソケット５０３は、その挿嵌部５０４における入口部分５０５が膝下に位置するものであり、その膝下に位置する部位の内側面にのみ繊維状部材５４５を設けるようにしているが、これに代えて、こうした繊維状部材をソケットの挿嵌部における入口部分の内周面全周に設けるようにしてもよい。
【０１４４】
・上記第６実施形態によるように、ライナー５０２の外側面に、ソケット５０３の挿嵌部５０４にライナー５０２を挿入する方向Ａに傾斜する起毛を有した繊維状部材５２５を設けることが、ライナー５０２の外側面に設けられた繊維状部材５２５の起毛と、ソケット５０３の内側面に設けられた繊維状部材５４５とを絡み合わせて、ソケット５０３の挿嵌部５０４の奥に断端部Ｓが落ち込むことを抑制する上では望ましい。しかしながら、本発明はこれに限られるものではなく、これに代えて、ライナー５０２の外側面に設けられた繊維状部材５２５を割愛するようにしてもよい。この場合であっても、ライナー５０２の装着された断端部Ｓがソケット５０３の挿嵌部５０４に完全に挿嵌されている状態において、ソケット５０３の挿嵌部５０４の奥に断端部Ｓが落ち込もうとする場合に、ソケット５０３の内側面に設けられた繊維状部材５４５が逆毛となることで、大きな抵抗力が生じることから、ソケット５０３の挿嵌部５０４の奥に断端部Ｓが落ち込むことが、ある程度は抑制されるようになる。
【０１４５】
・上記第６実施形態において、ソケット５０３の内側面に設けられた繊維状部材５４５を割愛するようにしてもよい。この場合であっても、ライナー５０２の外側面に設けられた繊維状部材５２５が逆毛となることで、大きな抵抗力が生じることから、ソケット５０３の挿嵌部５０４の奥に断端部Ｓが落ち込むことが、ある程度は抑制されるようになる。
【０１４６】
・上記第６実施形態によるように、ソケットの内側面に、繊維状部材５４５の他に、繊維状部材５４１を設けるようにすることが、ソケット５０３の挿嵌部５０４の奥に断端部Ｓが落ち込むことを抑制するとともに、ソケット５０３が断端部Ｓから抜け落ちることを抑制する上では望ましい。しかしながら、本発明はこれに限られるものではなく、ライナーの装着された断端部からのソケットの抜け落ちが問題とならないのであれば、上記繊維状部材５４１を割愛するようにしてもよい。
【０１４７】
・上記第６実施形態によるように、ライナーの外側面に、繊維状部材５２５の他に、繊維状部材５２２を設けるようにすることが、ソケット５０３の挿嵌部５０４の奥に断端部Ｓが落ち込むことを抑制するとともに、ソケット５０３が断端部Ｓから抜け落ちることを抑制する上では望ましい。しかしながら、本発明はこれに限られるものではなく、ライナーの装着された断端部からのソケットの抜け落ちが問題とならないのであれば、上記繊維状部材５２２を割愛するようにしてもよい。
【０１４８】
・上記第６実施形態では、ソケット５０３の内側面においてその入口部分５０５に繊維状部材５４５を設けるようにしている。また、ライナー５０２の外側面においてこうした繊維状部材５４５に対向するように繊維状部材５２５を設けるようにしている。しかしながら、本発明はこれに限られるものではなく、ソケットの内側面においてその奥部分に繊維状部材を設けるようにすることもできる。またこの場合、ライナーの外側面においてこうした繊維状部材に対向するように繊維状部材を設けるようにすればよい。
【０１４９】
・上記第６実施形態では、下腿の断端部が挿嵌されるソケット５０３を備える義足５０１について例示したが、本発明はこれに限られるものではなく、これを大腿の断端部が挿嵌されるソケットを備える義足に対して適用することもできる。
【０１５０】
・上記第１実施形態及び第６実施形態では、ソケット３、５０３の内側面に、ソケット３、５０３の挿嵌部４、５０４に断端部Ｓを挿入する方向Ｂに傾斜する繊維状部材４１、５４１を設けるものについて例示したが、これに加えて、上記第５実施形態において例示した繊維状部材４４４、４４３を設けるようにすることもできる。すなわち、ソケットの内側面に、ソケットの挿嵌部に断端部Ｓを挿入する方向に傾斜する繊維状部材と、ソケットの周方向において所定の方向に傾斜する起毛を有した繊維状部材との双方を設けるようにしてもよい。
【０１５１】
・上記第１実施形態及び第６実施形態では、ライナー２、５０２の外側面に、ソケット３、５０３の挿嵌部４、５０４にライナー２、５０２を挿入する方向Ｂとは逆の方向に傾斜する繊維状部材２２、５２２を設けるものについて例示したが、これに加えて、上記第５実施形態において例示した繊維状部材４２３、４２４を設けるようにすることもできる。すなわち、ライナーの外側面に、ソケットの挿嵌部にライナーを挿入する方向とは逆の方向に傾斜する繊維状部材と、ライナーの周方向において所定の方向に傾斜する起毛を有した繊維状部材との双方を設けるようにしてもよい。
【０１５２】
・上記各実施形態及びその変形例においては、ソケットの内側面に設けられてソケットの挿嵌部に断端部を挿入する方向に傾斜する繊維状部材（以下、繊維状部材Ｋ）と、ライナーの外側面に設けられてソケットの挿嵌部にライナーを挿入する方向とは逆の方向に傾斜する繊維状部材（以下、繊維状部材Ｌ）とについて例示した。そこでは特に、繊維状部材Ｋの傾斜方向と、繊維状部材Ｌの傾斜方向とのなす角度が１８０°となるものについて例示した。しかしながら、本発明における各繊維状部材はこうした態様を有するものの他、以下に示す態様をもって具現化することもできる。ここで、図１６（ａ）に、繊維状部材Ｋの傾斜方向と繊維状部材Ｌの傾斜方向との関係を模式的に示す。同図に示すように、繊維状部材Ｋの傾斜方向と繊維状部材Ｌの傾斜方向とのなす角度αが所定角度（９０°＜α＜１８０°）となるものであればよい。ただし、ソケットが断端部から抜け落ちようとする場合に、これら繊維状部材を逆毛とさせて、大きな抵抗力を生じさせるといった機能を十分に発揮させる上では、この所定角度αを大きく設定することが好ましい。
【０１５３】
・上記第５実施形態及びその変形例においては、ソケットの内側面に設けられてソケットの周方向において所定の方向に傾斜する第１繊維状部材（以下、第１繊維状部材Ｍ）と、上記所定の方向とは逆の方向に傾斜する第２繊維状部材（以下、第２繊維状部材Ｎ）とについて例示した。そこでは特に、第１繊維状部材Ｍの傾斜方向と、第２繊維状部材Ｎの傾斜方向とのなす角度が１８０°となるものについて例示した。しかしながら、本発明における各繊維状部材はこうした態様を有するものの他、以下に示す態様をもって具現化することもできる。ここで、図１６（ｂ）に、繊維状部材Ｍの傾斜方向と繊維状部材Ｎの傾斜方向との関係を模式的に示す。同図に示すように、繊維状部材Ｍの傾斜方向と繊維状部材Ｎの傾斜方向とのなす角度βが所定角度（９０°＜β＜１８０°）となるものであればよい。ただしこの場合も同様に、ソケットが回動しようとする場合に、繊維状部材を逆毛とさせて、大きな抵抗力を生じさせるといった機能を十分に発揮させる上では、この所定角度βを大きく設定することが好ましい。
【０１５４】
・上記各実施形態では、下腿部において切断された足に装着される義足及び義足用ライナーについて例示したが、本発明に係る義肢及び義肢用ライナーはこれらに限られるものではなく、大腿部において切断された足のためのものや、義手等のためのものに対して適用することが可能である。
【符号の説明】
【０１５５】
１、２０１、３０１、４０１、５０１、７０１、８０１、９０１、２００１…義足、２、１０２、２０２、４０２、５０２、６０２、７０２、８０２、９０２、１００２、２００２…ライナー、２１、１２１、５２１、６２１、７２１…繊維状部材、２２、１２２、５２２、６２２、８２２、１０２２…繊維状部材、３、１０３、２０３、３０３、４０３、５０３、７０３、８０３、９０３、１００３、２００３…ソケット、４、１０４、２０４、３０４、４０４、５０４、７０４、８０４、９０４、１００４、２００４…挿嵌部、４１、２４１、３４１、５４１、７４１、８４１、９４１…繊維状部材、２０７…連結部、２０８…管部、２０９…足部、２４４…ソケット側連結部、３０３Ａ…ソケット本体、３０３Ｂ…ライナー部、４２３、４２４、４４３、４４４…繊維状部材、５２５…繊維状部材、５０５…入口部分、５４５…繊維状部材、６０５…スペーサ、２０１０…装着具、２０１１…固定片、２０１２…ベルト、Ｋ…膝、Ｓ…断端部。
【図１】
2011098038.tif 000003
【図２】
2011098038.tif 000004
【図３】
2011098038.tif 000005
【図４】
2011098038.tif 000006
【図５】
2011098038.tif 000007
【図６】
2011098038.tif 000008
【図７】
2011098038.tif 000009
【図８】
2011098038.tif 000010
【図９】
2011098038.tif 000011
【図１０】
2011098038.tif 000012
【図１１】
2011098038.tif 000013
【図１２】
2011098038.tif 000014
【図１３】
2011098038.tif 000015
【図１４】
2011098038.tif 000016
【図１５】
2011098038.tif 000017
【図１６】
2011098038.tif 000018
【図１７】
2011098038.tif 000019